(57)【要約】      （修正有）【課題】縁かがり縫い後に収縮状態の縫目を作業労力及び時間をかけないでその全長に亘って確実、順調かつ効率的に、また、生地に傷等をつけないで拡張することができる衣類の縫目拡張装置を提供する。【解決手段】縁かがり縫いにより収縮状態の縫目が形成された生地部を縫目長手方向の両側に展開したとき、収縮状態の縫目が長手方向に沿って移動するようにガイドしつつ二枚の生地部を送り込む縫目移動ガイド溝付き生地部送り込み部と、送り込まれてくる二枚の生地部を挟み保持して縫目の長手方向に向け強制移送する一対の生地部強制移送装置と、移送終端部に続く箇所に設けられて一対の生地部強制移送装置から排出される縫目拡張済衣類の移送方向端部の検出に応じて縫目の長手方向に向けて強制的に排出移送する第１状態と衣類から離間して強制排出移送を行わない第２状態とに切換可能な縫目拡張済衣類の強制排出移送装置３５とを備えている。【選択図】図８
2020180417.tif 000002
【特許請求の範囲】
【請求項１】
重なり合った二枚の生地部の縁かがり縫いにより収縮状態の縫目が形成された衣類における前記二枚の生地部を前記縫目の長手方向に対して直交する方向の両側に展開した状態で前記収縮状態の縫目が該縫目の長手方向に沿って移動するようにガイドしつつ前記二枚の生地部を送り込む縫目移動ガイド溝付き生地部送り込み部と、
前記縫目が縫目移動ガイド溝に沿ってガイドされる状態で前記生地部送り込み部に送り込まれてくる前記二枚の生地部を挟み保持して該二枚の生地部を前記縫目の長手方向に向けて強制移送し、その移送方向の終端部ほど対向間距離が漸次大きくなるように配置され、かつ、少なくとも移送方向の終端部の対向間距離が変更可能に構成された一対の生地部強制移送装置と、を具備し、
前記衣類における二枚の生地部が前記一対の生地部強制移送装置により移送されるとき、展開した二枚の生地部の端縁が突き合わせ状態となるように前記収縮状態の縫目を拡張する衣類の縫目拡張装置であって、
前記一対の生地部強制移送装置の移送終端部に続く箇所には、該一対の生地部強制移送装置により縫目が拡張された衣類の移送方向先端部が前記一対の生地部強制移送装置から送り出されたか否かを検知する検知器と、
前記一対の生地部強制移送装置から排出されてくる衣類に接触して該衣類を前記縫目の長手方向に向けて強制的に排出移送する第１状態と前記衣類から離間して衣類の強制排出移送を行わない第２状態とに切換え可能な縫目拡張済衣類の強制排出移送装置と、が設けられており、
前記縫目拡張済衣類の強制排出移送装置は、前記検知器の検知動作に応じて前記第２状態から前記第１状態に切換えられるように構成されている
ことを特徴とする衣類の縫目拡張装置。
【請求項２】
前記縫目拡張済衣類の強制排出移送装置は、前記検知器が縫目拡張済衣類の移送方向終端部を検知した動作に応じて前記第１状態から前記第２状態に切換えられるように構成されている
ことを特徴とする請求項１に記載の衣類の縫目拡張装置。
【請求項３】
前記縫目移動ガイド溝付き生地部送り込み部と前記一対の生地部強制移送装置の移送始端部との間には、送り込まれてくる前記二枚の生地部を前記一対の生地部強制移送装置の移送始端部に強制的に送り込む強制送り込み用回転体が配設されている
ことを特徴とする請求項１又は２に記載の衣類の縫目拡張装置。
【請求項４】
前記一対の生地部移送装置は、それぞれ移送面を互いに対向させて配置された一組の移送装置から構成され、これら一組の移送装置は、それぞれ移送面を互いに対向させて配置された一組の無端ベルトから構成され、そのうち一方の無端ベルトが駆動モータに連動連結されて駆動回転式に構成されているとともに、他方の無端ベルトは従動回転式に構成されている
ことを特徴とする請求項１ないし３のいずれか１項に記載の衣類の縫目拡張装置。
【請求項５】
前記駆動モータに連動連結されて駆動回転式に構成された前記一方の無端ベルトは、前記検知器が縫目拡張済衣類の移送方向終端部を検知した動作後の人為操作により、前記従動回転式に構成された他方の無端ベルトから離間してそれら両方の無端ベルトの対向移送面間に縫目拡張済衣類の前記生地部送り込み部の上流側への抜き出し用空隙部を形成可能に構成されている
ことを特徴とする請求項４に記載の衣類の縫目拡張装置。
【請求項６】
前記縫目拡張済衣類の強制排出移送装置は、前記縫目の長手方向に対して直交する方向に並設された複数条の断面円形無端ベルトから構成され、これら複数条の断面円形無端ベルトは、前記一対の生地部強制移送装置の駆動モータに連動連結されている
ことを特徴とする請求項１ないし５のいずれか１項に記載の衣類の縫目拡張装置。
【請求項７】
前記断面円形無端ベルトは、前記縫目拡張済衣類の強制排出移送始端部に位置するプーリ、前記駆動モータから駆動力を受動するプーリ及び前記断面円形無端ベルトの外周部に接触するアイドルプーリを含む複数個のプーリ間に亘って掛け渡しされており、これら複数個のプーリは、前記検知器の検知動作に応じて前記第２状態から前記第１状態へ切換えられる時及び前記検知器が縫目拡張済衣類の移送方向終端部を検知した動作に応じて前記第１状態から前記第２状態へ切換えられる時に前記円形断面無端ベルトが外れないように屈曲動作するリンク機構に支えられている
ことを特徴とする請求項６に記載の衣類の縫目拡張装置。
【請求項８】
前記縁かがり縫いにより形成される縫目が、ＪＩＳの表記記号クラス５００に分類されるものである
ことを特徴とする請求項１ないし７のいずれか１項に記載の衣類の縫目拡張装置。
【発明の詳細な説明】
【技術分野】
【０００１】  本発明は、例えば、スポーツウェア、スパッツ、パンティストッキング、タイツ、ナイトウェアなどのように、重なり合った二枚の生地部の縁かがり縫いにより収縮状態の縫目が形成された衣類における前記二枚の生地部を前記縫目の長手方向に対して直交する方向の両側に展開したとき、その展開した二枚の生地部の端縁が突き合わせ縫い状態となるように前記収縮状態の縫目を拡張するために使用される衣類の縫目拡張装置に関する。
【背景技術】
【０００２】  対象衣類として、図１１に示すスポーツウェアＳＷを例にとって説明すると、該スポーツウェアＳＷは、オーバーロックミシンを用いて、図１１の矢印ａ，ｂ，ｃ，ｄ，ｅ，ｆで示す箇所に、ＪＩＳの表記記号クラス５００に分類される縫目Ｓが生地進行方向Ｙ（図１３参照）に沿って形成されるように縁かがり縫いを行うことによって作製される。ＪＩＳの表記記号クラス５００のうち、例えば、１本の針糸ＮＴと上下２本のルーパ糸ＵＬＴ、ＬＬＴとの計３本の糸で構成するＪＩＳ表記記号５０５に分類される縫目Ｓの構造は、図１２に示すとおりであり、縁かがり縫い時に上下に重なりあっていた上部の生地部ＵＷと下部の生地部ＬＷとを縫目の長手方向に直交する方向、例えば左右に展開することにより、該左右の生地部ＵＷ，ＬＷの端縁ＵＷｅ、ＬＷｅが図１３及び図１４に示すような突き合わせ縫い状態となる。【０００３】  上記のように、縁かがり縫い後に左右に展開される左右の生地部ＵＷ，ＬＷの端縁ＵＷｅ、ＬＷｅが突き合わせ縫い状態の縫目構造とすることにより、肌に接する衣類の裏面に縫目部分が突出することなく、生地部を平滑に縫い合わせて着用感を高めることが可能であるとともに、生地部の端縁を衣類の表面に露出させることなく、美観にも優れた衣類を得ることが可能である。【０００４】  ところで、対象衣類が前述のスポーツウェアやパンティストッキングなどのように弾力性、伸縮性に富む生地素材を用いたものでは、針糸及びルーパ糸としてウーリー糸のような高伸度の糸が使用されることが多い。そのために、縁かがり縫いによって形成されるＪＩＳの表記記号クラス５０５に分類の縫目は、生地部の弾力性、伸縮性及び針糸、ルーパ糸の高伸度性の影響を受けて強い収縮状態となり、縁かがり縫いした生地部を縫目の左右に展開して左右の生地部の端縁が図１３及び図１４に示す突き合わせ縫い状態となるように縫目を拡張するためには前記強い収縮状態にある縫目をその収縮力に対抗するに足りる強い引張り力が必要となる。
【発明の概要】
【発明が解決しようとする課題】
【０００５】  従来では、上記のような強い収縮状態にある縫目をその長手方向の全長に亘って拡張する専用の機器が存在しないため、縫目の拡張作業が全面的に人手に委ねられていた。そのため、縫目を拡張するために二枚の生地部を両手で強く掴んで縫目の長手方向に対して直交する両方向に強い引張り力を付与しなければならず、膨大な作業労力（人力）を要する。また、一つの衣類の複数個所に縫目が形成されている場合や、縫目の長さが非常に長いような場合、それら複数あるいは長い縫目の全てを拡張するために多大な作業手間及び長時間を要することとなる。その結果、所定の衣類の生産性低下を招きやすく、また、縫目をその全長に亘って見栄え良く拡張して着用感及び仕上りの良い衣類を得ることがむずかしいという問題があった。【０００６】  本発明は上述の実情に鑑みてなされたもので、縁かがり縫い後に、特別大きな作業労力を要することなく、最少限の手間、時間をかけるのみで、縫目をその全長に亘って確実に、かつ、生地に余分な摩擦や無理な力をかけて傷などを付けることなく拡張することができ、しかも、縫目の拡張作業を非常に順調かつ効率的に実行することができて、着用感及び仕上りの良い衣類の生産性向上に貢献することができる衣類の縫目拡張装置を提供することを目的としている。
【課題を解決するための手段】
【０００７】  上記目的を達成するために、本発明に係る衣類の縫目拡張装置は、重なり合った二枚の生地部の縁かがり縫いにより収縮状態の縫目が形成された衣類における前記二枚の生地部を前記縫目の長手方向に対して直交する方向の両側に展開した状態で前記収縮状態の縫目が該縫目の長手方向に沿って移動するようにガイドしつつ前記二枚の生地部を送り込む縫目移動ガイド溝付き生地部送り込み部と、前記縫目が縫目移動ガイド溝に沿ってガイドされる状態で前記生地部送り込み部に送り込まれてくる前記二枚の生地部を挟み保持して該二枚の生地部を前記縫目の長手方向に向けて強制移送し、その移送方向の終端部ほど対向間距離が漸次大きくなるように配置され、かつ、少なくとも移送方向の終端部の対向間距離が変更可能に構成された一対の生地部強制移送装置と、を具備し、前記衣類における二枚の生地部が前記一対の生地部強制移送装置により移送されるとき、展開した二枚の生地部の端縁が突き合わせ状態となるように前記収縮状態の縫目を拡張する衣類の縫目拡張装置であって、前記一対の生地部強制移送装置の移送終端部に続く箇所には、該一対の生地部強制移送装置により縫目が拡張された衣類の移送方向先端部が前記一対の生地部強制移送装置から送り出されたか否かを検知する検知器と、前記一対の生地部強制移送装置から排出されてくる衣類に接触して該衣類を前記縫目の長手方向に向けて強制的に排出移送する第１状態と前記衣類から離間して衣類の強制排出移送を行わない第２状態とに切換え可能な縫目拡張済衣類の強制排出移送装置と、が設けられており、前記縫目拡張済衣類の強制排出移送装置は、前記検知器の検知動作に応じて前記第２状態から前記第１状態に切換えられるように構成されていることを特徴とする。
【発明の効果】
【０００８】  上記のごとき特徴を有する本発明に係る衣類の縫目拡張装置によれば、縁かがり縫いによって縫目が形成された二枚の生地部を縫目の長手方向に対して直交する方向の両側に展開した状態でその二枚の生地部を、収縮状態の縫目が縫目移動ガイド溝に嵌り、該移動ガイド溝に沿ってガイドされるように生地部送り込み部に送り込みセットすることにより、二枚の生地部が前記一対の生地部移送装置に挟み保持されて縫目の長手方向に向けて強制移送される。そして、この強制移送時に前記一対の生地部強制移送装置の対向間距離が漸次大きくなるため、強制移送の進行に伴って二枚の生地部には縫目の長手方向に対して直交する方向の引張り力が付与されて該縫目を機械的、自動的に拡張することが可能である。したがって、縁かがり縫い後の二枚の生地部を展開して生地部送り込み部にセットするといった最少限の手間と時間をかけるのみで、また、二枚の生地部を両手で強く掴んで縫目の長手方向に対して直交する両方向に強い引張り人力をかけるといった作業労力も要することなく、縫目をその全長に亘って確実かつ効率的に拡張して、生地部が着用感の高い平滑な裏面と美観に優れた表面とを有する衣類を得ることができる。【０００９】  しかも、一対の生地部移送装置の対向間距離を移送方向の終端部ほど漸次大きくなるように配置して縁かがり縫い後の二枚の生地部を強制移送しながら該二枚の生地部を繋ぐ縫目にその長手方向に対して直交する引張り力をかけることができるので、例えば、強制移送時に縫目を含む生地部分を勾配カムに沿って摺接移動させることで前記引張り力を付与する形式の固定式拡張装置や、強制移送されてくる縫目を含む生地部分を順次掻き込むとともに、その掻き込んだ生地部分を生地部の表裏方向の一方に回転移送する駆動回転体により前記引張り力を付与する形式の回転掻き込み式拡張装置を用いる場合に比べて、生地に余分な摩擦や無理な力等をかけることがないので、生地に擦過傷や局部破れなどを生じることがなく、仕上がりのよい縫目拡張を行うことができる。【００１０】  加えて、前記一対の生地部強制移送装置の移送方向下流箇所には該一対の生地部強制移送装置により縫目が拡張された衣類の移送方向先端部が該一対の生地部強制移送装置から送り出されたことを検知する検知器の検知動作に応じて衣類から離間した第２状態にあった縫目拡張済衣類の強制排出移送装置が衣類に接触する第１状態に切換えられて縫目拡張済の衣類を、前記一対の生地部強制移送装置に引き続いて縫目の長手方向に向けて強制的に排出移送することができるので、縫目拡張済衣類が前記一対の生地部強制移送装置の移送方向下流箇所に停滞してそれ以降の衣類の移送などに支障を招くことを回避することができる。したがって、多数の衣類に対する縫目拡張作業を非常に順調かつ効率的に実行することができて、着用感及び仕上りの良い衣類の生産性向上を達成することができるといった効果を奏する。【００１１】  本発明に係る衣類の縫目拡張装置において、前記縫目拡張済衣類の強制排出移送装置は、前記検知器が縫目拡張済衣類の移送方向終端部を検知した動作に応じて前記第１状態から前記第２状態に切換えられるように構成されていることが好ましい。
この場合は、前記検知器の前記縫目拡張済衣類の移送方向終端部の検知動作に応じて前記強制排出移送装置を衣類から離間した第２状態に自動的に切換えることが可能であるため、縫目拡張済衣類をできるだけ早く当該拡張装置から取り外して次の衣類の拡張を早期に開始するといったように、当該拡張装置の使用効率を高めることができる。【００１２】  本発明に係る衣類の縫目拡張装置において、前記縫目移動ガイド溝付き生地部送り込み部と前記一対の生地部強制移送装置の移送始端部との間には、送り込まれてくる前記二枚の生地部を前記一対の生地部強制移送装置の移送始端部に強制的に送り込む強制送り込み用回転体が配設されていることが好ましい。
この場合は、縁かがり縫い後に両側に展開した二枚の生地部の先端部を生地部送り込み部にセットするだけで、その二枚の生地部を前記一対の生地部強制移送装置の移送始端部に自動的に送り込むことができるため、生地部のセット作業が一層簡便で済む。【００１３】  本発明に係る衣類の縫目拡張装置において、前記一対の生地部移送装置は、それぞれ移送面を互いに対向させて配置された一組の移送装置から構成され、これら一組の移送装置は、それぞれ移送面を互いに対向させて配置された一組の無端ベルトから構成され、そのうち一方の無端ベルトが駆動モータに連動連結されて駆動回転式に構成されているとともに、他方の無端ベルトは従動回転式に構成されていることが好ましい。
この場合は、縁かがり縫い後、縫目の両側に展開された二枚の生地部がそれぞれ一組の移送装置である一組の無端ベルトの対向する移送面間に挟み保持されて移送されることになるため、二枚の生地部を確実かつ均等に所定方向に強制移送することが可能となり、一層仕上りのよい衣類を得ることができる。また、縁かがり縫い後、縫目の両側左右に展開された二枚の生地部が対向配置された一対の無端ベルト間に挟まれた状態で、一方の無端ベルトの駆動回転に伴い他方の無端ベルトを従動回転させながら強制移送されることになるため、二枚の生地部には殆ど移送抵抗がかからず、これら二枚の生地部をスムーズに強制移送させて所定の縫目拡張機能を確実かつ円滑に発揮させることが可能である。【００１４】  また、本発明に係る衣類の縫目拡張装置において、前記駆動モータに連動連結されて駆動回転式に構成された前記一方の無端ベルトは、前記検知器が縫目拡張済衣類の移送方向終端部を検知した動作後の人為操作により、前記従動回転式に構成された他方の無端ベルトから離間してそれら両方の無端ベルトの対向移送面間に縫目拡張済衣類の前記生地部送り込み部の上流側への抜き出し用空隙部を形成可能に構成されていることが好ましい。
この場合は、前記検知器により縫目拡張済衣類の移送方向終端部の検知動作後の人為操作、例えば駆動モータの駆動開始及び駆動停止を司る操作ペダルの駆動停止操作（一般的に踏み返し操作という）に伴い駆動回転式の一方の無端ベルトを従動回転式の他方の無端ベルトから離間させて両方の無端ベルトの対向移送間に空隙部を形成することが可能であるため、対象衣類が筒状衣類である場合でも、縫目拡張済の筒状衣類を前記生地部送り込み部の上流側に素早く抜き出すことができる。【００１５】  また、本発明に係る衣類の縫目拡張装置において、前記縫目拡張済衣類の強制排出移送装置は、前記縫目の長手方向に対して直交する方向に並設された複数条の断面円形無端ベルトから構成され、これら複数条の断面円形無端ベルトは、前記一対の生地部強制移送装置の駆動モータに連動連結されていることが好ましい。
この場合は、前記強制排出移送装置の縫目拡張済の衣類に対する接触を複数条の線接触とすることができるので、該強制排出移送装置と前記一対の生地部強制移送装置との間で多少の移送速度差が生じたとしても、その速度差を前記線接触部でのスベリによって吸収することが可能で、衣類に余分な力をかけないですむ。また、前記縫目拡張済衣類の強制排出移送装置及び前記一対の生地部強制移送装置の駆動モータを兼用化することにより、装置全体としての駆動系の構成を簡単にすることができる。【００１６】  また、本発明に係る衣類の縫目拡張装置において、前記断面円形無端ベルトは、前記縫目拡張済衣類の強制排出移送始端部に位置するプーリ、前記駆動モータから駆動力を受動するプーリ及び前記断面円形無端ベルトの外周部に接触するアイドルプーリを含む複数個のプーリ間に亘って巻掛けられており、これら複数個のプーリは、前記検知器の検知動作に応じて前記第２状態から前記第１状態へ切換えられる時及び前記検知器が縫目拡張済衣類の移送方向終端部を検知した動作に応じて前記第１状態から前記第２状態へ切換えられる時に前記円形断面無端ベルトが外れないように屈曲動作するリンク機構に支えられていることが好ましい。
この場合は、前記縫目拡張済衣類の強制排出移送装置を構成する断面円形無端ベルトを検知器の検知動作に応じて前記第２状態から前記第１状態に切換える時及び第１状態ら第２状態に切換える時のいずれも前記リンク機構の屈曲動作により前記円形断面無端ベルトが前記複数個のプーリから外れるといったトラブルの発生を回避することができる。【００１７】  更に、本発明に係る衣類の縫目拡張装置において、前記縁かがり縫いにより形成される縫目が、ＪＩＳの表記記号クラス５００に分類されるものであることが好ましい。
この場合は、縁かがり縫いにより形成される縫目がＪＩＳの表記記号クラス５００に分類されるものであって、例えば、ＪＩＳ表記記号５０５のような針糸の張力が低い（又は緩い）状態の縫目であるならば、上記の縫目拡張を一層確実かつ安定的に行うことができる。
【図面の簡単な説明】
【００１８】
【図１】本発明の実施の形態に係る衣類の縫目拡張装置全体の斜視図である。
【図２】同上衣類の縫目拡張装置の要部の拡大分解斜視図である。
【図３】同上衣類の縫目拡張装置の要部の拡大分解斜視図である。
【図４】同上衣類の縫目拡張装置の要部の拡大分解斜視図である。
【図５】同上衣類の縫目拡張装置の要部の拡大平面図である。
【図６】図５のＡ−Ａ線に沿った縦断面図である。
【図７】同上衣類の縫目拡張装置による衣類の移送開始時の状態を示す要部の拡大側面図である。
【図８】同上衣類の縫目拡張装置による衣類の移送途中の状態を示す要部の拡大側面図である。
【図９】同上衣類の縫目拡張装置から縫目拡張済衣類を抜き出した後の状態を示す要部の拡大側面図である。
【図１０】同上衣類の縫目拡張装置における拡張済衣類の強制排出装置を構成する断面円形無端ベルトの外れ防止用リンク機構の概略動作線図である。
【図１１】縁かがり縫いによってＪＩＳの表記記号クラス５００に分類される縫目が形成される衣類の一例としてのスポーツウェアの斜視図である。
【図１２】ＪＩＳ表記記号５０５に分類される縫目の構造を示す要部の拡大斜視図である。
【図１３】縁かがり縫いした生地部を縫目の左右に展開したときの縫目の構造を生地表面側から見た要部の拡大平面図である。
【図１４】縁かがり縫いした生地部を縫目の左右に展開したときの縫目の構造を生地裏面側から見た要部の拡大平面図である。
【発明を実施するための最良の形態】
【００１９】  以下、本発明の実施の形態を図面にもとづいて説明する。
図１は本発明の実施の形態に係る衣類の縫目拡張装置全体の斜視図、図２〜図４は同上衣類の縫目拡張装置の要部の拡大分解斜視図、図５は同上衣類の縫目拡張装置の要部の拡大平面図、図６は図５のＡ−Ａ線に沿った縦断面図、図７〜図９は同上衣類の縫目拡張装置による衣類の移送開始時の状態、移送途中の状態、縫目拡張済衣類を抜き出した後の状態を示す要部の拡大側面図である。【００２０】  上記衣類の縫目拡張装置Ｍは、水平基台１上に略垂直姿勢に固定設置された側面視が逆コの字形状の枠フレーム２と、該枠フレーム２の下側水平フレーム部２Ｌの前端部付近にねじ１３で固定の支持台８の前半部上面にビス９を介して固定されたロアブロック１０の前部に配設される生地部送り込み部４と、前記ロアブロック１０の後部に配設されて、オーバーロックミシンを用いてＪＩＳの表記記号クラス５０５に分類される縫目Ｓ（図１２参照）が形成されるよう縁かがり縫いされた後の衣類における前記縫目Ｓの縫目長手方向に対して直交する方向の両側、つまり、水平面でいう左右両側に展開される左右二枚の生地部ＵＷ、ＬＷを上下から挟み保持して、前記縫目Ｓの長手方向に向けて矢印ＹＬ，ＹＲ方向（図５参照）に強制移送する左右一対の生地部強制移送装置３Ｌ，３Ｒ（図６参照）と、前記生地部送り込み部４と前記左右一対の生地部強制移送装置３Ｌ，３Ｒの移送始端部との間に配設されて、前記生地部送り込み部４に送り込まれてくる生地部ＵＷ，ＬＷを前記左右一対の生地部強制移送装置３Ｌ，３Ｒの移送始端部に強制的に送り込む強制送り込み用下部回転体としての左右二個のローラ１２Ｌ、１２Ｒとを、具備している。【００２１】  前記生地送り込み部４は、前記ロアブロック１０の前面にビス１１，１１により固定された左右一対のガイド片４Ｌ，４Ｒからなり、該左右一対のガイド片４Ｌ，４Ｒ間には、前記収縮状態にある縫目Ｓを落し込み該縫目Ｓがその長手方向に沿って移動するようにガイドする縫目移動ガイド溝４Ｓが形成されている。また、前記左右二個のローラ１２Ｌ，１２Ｒは、図３及び図５に明示されているように、前記ロアブロック１０の上面部に形成された凹溝１４Ｌ、１４Ｒ内に嵌合させて軸１５の周りを自由回転可能に支承されている。【００２２】  前記左右一対の生地部強制移送装置３Ｌ，３Ｒは、図１〜図６に示されているように、それぞれ移送面を上下に対向させて配置された上下一対の移送装置としての上下一対の無端ベルト３ＬＵ，３ＬＬ、３ＲＵ，３ＲＬから構成されている。この上下一対の無端ベルト３ＬＵ，３ＬＬ、３ＲＵ，３ＲＬは、図５に最も明瞭に示されているように、それぞれの移送方向ＹＬ，ＹＲの終端部ほど対向間距離が漸次大きくなるように前記生地部送り込み部４の縫目移動ガイド溝４Ｓの延長線に対して左右均等に傾斜させて平面視でほぼ逆ハの字状に配置されている。【００２３】  前記上下一対の無端ベルト３ＬＵ，３ＬＬ、３ＲＵ，３ＲＬのうち、上部の無端ベルト３ＬＵ，３ＲＵは、図２に明示されているように、それぞれ上部取付台１５ＬＵ，１５ＲＵに生地部移送方向に適宜間隔を隔てて軸支された複数個（実際は２個）の歯付きプーリ１６ＬＵ、１６ＲＵに巻掛けられている一方、下部の無端ベルト３ＬＬ，３ＲＬは���図４に明示されているように、それぞれ下部取付台１５ＬＬ，１５ＲＬに生地部移送方向に適宜間隔を隔てて軸支された複数個（実際は２個）の歯付きプーリ１６ＬＬ、１６ＲＬに巻掛けられている。以上のように構成される生地部強制移送装置３Ｌ，３Ｒが、縁かがり縫いされた衣類における左右二枚の生地部ＵＷ、ＬＷを縫目Ｓの長手方向に対して直交する方向の両側に展開した状態で前記左右二枚の生地部ＵＷ，ＬＷを上下から挟み保持して該左右二枚の生地部ＵＷ，ＬＷを前記ＹＬ、ＹＲ方向に向けて強制移送する。【００２４】  前記左右一対の生地部強制移送装置３Ｌ，３Ｒにおける上部の無端ベルト３ＬＵ，３ＲＵ及び前記左右二個のローラ１２Ｌ，１２Ｒの上部位置に配置の中間取付台１７に軸支された歯付きプーリ１８に巻き付けられている強制送り込み用上部回転体としての無端ベルト１９が、前記枠フレーム２の中間垂直フレーム部２Ｍに固定支持された駆動モータ２０に中継用伝動ベルト２１を介して連動連結されて駆動回転式に構成されている一方、下部の無端ベルト３ＬＬ，３ＲＬは、非駆動で上部の無端ベルト３ＬＵ，３ＲＵとの間に生地部を挟み保持して移送するときに移送面が同一方向へ向けて移動するような従動回転式に構成されている。【００２５】  前記左右一対の生地部強制移送装置３Ｌ，３Ｒのうち、上部の無端ベルト３ＬＵ，３ＲＵを巻掛ける歯付きプーリ１６ＬＵ，１６ＲＵを回転可能に軸支する上部取付台１５ＬＵ，１５ＲＵは、図２に明示されているように、固定部となる中間ブロック２４に上部ガイドピン２５ＬＵ，２５ＲＵを介して上下軸心周りに回転可能に支持されているとともに、前記中間ブロック２４の左右両側面部に螺合させたネジ２６ＬＵ，２６ＲＵを介して任意の回転位置で固定可能に構成されている。【００２６】  一方、下部の無端ベルト３ＬＬ，３ＲＬを巻掛ける歯付きプーリ１６ＬＬ，１６ＲＬを回転可能に軸支する下部取付台１５ＬＬ，１５ＲＬは、図４に明示されているように、固定部となる前記ロアブロック１０に下部ガイドピン２５ＬＬ，２５ＲＬを介して上下軸心周りに回転可能に支持されているとともに、前記ロアブロック１０の左右両側面部に螺合させたネジ２６ＬＬ，２６ＲＬを介して任意の回転位置で固定可能に構成されている。【００２７】  前記上部ガイドピン２５ＬＵ，２５ＲＵ及び下部ガイドピン２５ＬＬ，２５ＲＬはそれぞれ前記左右一対の生地部強制移送装置３Ｌ，３Ｒによる強制移送経路の中央部付近に配置されており、前記上部取付台１５ＬＵ，１５ＲＵ及び下部取付台１５ＬＬ，１５ＲＬを上部ガイドピン２５ＬＵ，２５ＲＵ及び下部ガイドピン２５ＬＬ，２５ＲＬそれぞれの上下軸心周りに回転させ任意の回転位置で固定することにより、上下一対の無端ベルト３ＬＵ，３ＬＬ、３ＲＵ，３ＲＬの移送方向終端部の対向間距離が変更可能に構成されている。【００２８】  前記中間ブロック２４と前記各無端ベルト３ＬＵ，３ＲＵ及び強制送り込み用上部回転体としての無端ベルト１９の各巻掛け用上部歯付きプーリ（部品番号省略）を軸支するブラケット２９は前記枠フレーム２の上側水平フレーム部２Ｕの前端部に固定の上下スライドレール２７に沿って上下に昇降可能に支持された昇降板部材３０に固定されており、該昇降板部材３０をシリンダ２８によりスライドレール２７に沿って駆動昇降させることによって、前記強制送り込み用無端ベルト１９を前記左右二個のローラ１２Ｌ、１２Ｒに接近させて左右二枚の生地部を後方へ強制送り込みするとともに、前記上部の無端ベルト３ＬＵ，３ＲＵの各移送面を下部の無端ベルト３ＬＬ，３ＲＬの各移送面に接近させて衣類の左右二枚の生地部を挟み保持して強制移送する状態と、前記強制送り込み用無端ベルト１９を前記左右二個のローラ１２Ｌ、１２Ｒの上方に離間させるとともに、前記上部の無端ベルト３ＬＵ，３ＲＵの各移送面を下部の無端ベルト３ＬＬ，３ＲＬの各移送面から上方に離間させて上部の無端ベルト３ＬＵ，３ＲＵと下部の無端ベルト３ＬＬ，３ＲＬの対向移送面間に空隙部４３を形成することで筒状の衣類であっても縫目拡張後の該筒状衣類を前記生地送り込み部４の上流側に抜き出し可能とする状態と、に切替自在に構成されている。【００２９】  前記強制送り込み用無端ベルト１９の中間部には歯付きアイドルプーリ３１が配置されており、この歯付きアイドルプーリ３１は前記中間ブロック２４に固定されたアイドラーブロック３２に回転可能に軸支されている。【００３０】  また、前記強制送り込み用下部回転体としての左右二個のローラ１２Ｌ、１２Ｒは、ロアブロック１０の上面部の凹溝１４Ｌ、１４Ｒ内に自由回転可能に軸支されており、前記強制送り込み用無端ベルト１９が下降されて前記ローラ１２Ｌ，１２Ｒの上部周面に接近した状態で衣類の強制送り込みを行い、このとき、前記ローラ１２Ｌ，１２Ｒは前記無端ベルト１９に同期して従動回転するように構成されている。【００３１】  前記左右一対の生地部強制移送装置３Ｌ，３Ｒの移送終端部に続く箇所には、該左右一対の生地部強制移送装置３Ｌ，３Ｒにより縫目Ｓが拡張された衣類ＳＷの移送方向先端部が前記左右一対の生地部強制移送装置３Ｌ，３Ｒから送り出されたか否かを検知する検知器４０と、前記左右一対の生地部強制移送装置３Ｌ，３Ｒから排出されてくる縫目拡張済の衣類ＳＷを縫目Ｓの長手方向に向けて引続き強制的に排出移送する縫目拡張済衣類の強制排出移送装置３５と、が設けられている。【００３２】  前記縫目拡張済衣類の強制排出移送装置３５は、図１に示すように、縫目の長手方向に対して直交する左右方向に並設された複数条、具体的には二条の断面円形無端ベルト３５Ｌ，３５Ｒから構成されている。これら二条の断面円形無端ベルト３５Ｌ，３５Ｒは、前記縫目拡張済衣類の強制排出移送方向Ｚに間隔を置いた２個所に配置されて昇降台３６に支承された２つのプーリ３７ａ，３７ｂ、前記駆動モータ２０に中継用伝動ベルト２２を介して連動連結されて駆動モータ２０からの駆動力を受動する中間軸３８に固定されたプーリ３７ｃ及び前記２つのプーリ３７ａ，３７ｂの上方位置に配置されて前記断面円形無端ベルト３５Ｌ，３５Ｒの外周部に接触するアイドルプーリ３７ｄの間に亘って無端回動可能に巻掛けられている。【００３３】  前記昇降台３６に支承された２つのプーリ３７ａ，３７ｂ間に略水平に位置する二条の無端ベルト部分が前記縫目拡張済衣類の強制排出移送装置３５における実質的な強制排出移送部３５Ａを��成しており、該強制排出移送部３５Ａが前記枠フレーム２の下側水平フレーム部２Ｌの上面からなる縫目拡張済衣類の排出移送案内面２Ｌａに対向している。【００３４】  前記昇降台３６は、前記枠フレーム２の上側水平フレーム部２Ｕの前部に取り付けられたシリンダ４１により駆動昇降自在に構成されている。前記シリンダ４１は、前記検知器４０の検知動作に応じて伸縮され、このシリンダ４１の伸縮に応じて前記昇降台３６が駆動昇降されて前記縫目拡張済衣類の強制排出移送装置３５における実質的な強制排出移送部３５Ａが前記排出移送案内面２Ｌａに接近離間するように構成されている。【００３５】  具体的には、前記検知器４０が縫目拡張済衣類の移送方向先端部を検知した動作に応じて前記シリンダ４１が伸長されて前記昇降台３６が駆動下降されることによって、図８に示すように、前記縫目拡張済衣類の強制排出移送装置３５における実質的な強制排出移送部３５Ａが前記左右一対の生地部強制移送装置３Ｌ，３Ｒから前記排出移送案内面２Ｌａ上に排出されてくる縫目拡張済衣類ＳＷの上面に接触されて該衣類ＳＷを縫目の長手方向である前記強制排出移送方向Ｚに強制的に排出移送する第１状態と、前記検知器４０が前記縫目拡張済衣類の移送方向終端部を検知した動作に応じて前記シリンダ４１が収縮されて前記昇降台３６が駆動上昇されることによって、図９に示すように、前記縫目拡張済衣類の強制排出移送装置３５における実質的な強制排出移送部３５Ａが前記縫目拡張済衣類ＳＷから上方に離間されて該衣類ＳＷの強制排出移送を行わない第２状態と、に自動的に切換えられるように構成されている。【００３６】  また、前記縫目拡張済衣類の強制排出移送装置３５を構成する二条の断面円形無端ベルト３５Ｌ，３５Ｒを無端回動可能に巻掛けている４個のプーリ３７ａ〜３７ｄのうち、前記昇降台３６に支承された２つのプーリ３７ａ，３７ｂ及びアイドルプーリ３７ｄは、前記検知器４０が縫目拡張済衣類ＳＷの移送方向始端部を検知した動作に応じて前記第２状態から前記第１状態に切換えられる時及び前記検知器４０が縫目拡張済衣類ＳＷの移送方向終端部を検知した動作に応じて前記第１状態から前記第２状態に切換えられる時に前記円形断面無端ベルト３５Ｌ、３５Ｒが外れないように屈曲動作するリンク機構４２に支持されている。【００３７】  前記リンク機構４２は、図１０の概略動作線図に示すように、支点Ｐ１の周りを揺動可能な１つの腰折れリンク４２ａと前記支点Ｐ１の下方位置で上下に配置の支点Ｐ２，Ｐ３の周りを上下に揺動可能な平行四連式の２つのリンク４２ｂ，４２ｃとを有するとともに、前記２つのリンク４２ｂ，４２ｃのうち一方のリンク４２ｂの支点Ｐ２から斜め上方への延長リンク部４２ｂ１の遊端部と前記腰折れリンク４２ａの遊端部とを枢支連結して構成されている。前記リンク機構４２の前記腰折れリンク４２ａの一部に前記アイドルプーリ３７ｄを回転可能に支承するプーリ支持片４３が取り付けられているとともに、前記平行四連式の２つのリンク４２ｂ，４２ｃの遊端部間が前記昇降台３６により連結されている。【００３８】  なお、本実施の形態の衣類の縫目拡張装置Ｍには、図示を省略するが、該装置Ｍの作動をＯＮ／Ｏ���Ｆする起動スイッチ及び足踏みペダルが設けられており、前記起動スイッチＯＮにして足踏みペダルを踏み返すことにより、前記左右一対の生地部強制移送装置３Ｌ，３Ｒにおける上部の無端ベルト３ＬＵ，３ＲＵ及び縫目拡張済衣類の強制排出移送装置３５における実質的な強制排出移送部３５Ａが共に上昇される。この状態で前記足踏みペダルを中立位置に操作することにより、前記左右一対の生地部強制移送装置３Ｌ，３Ｒにおける上部の無端ベルト３ＬＵ，３ＲＵが下降する。さらに、この状態から前記足踏みペダルを踏み込むことにより、駆動モータ２０が作動して前記左右一対の生地部強制移送装置３Ｌ，３Ｒにおける上部の無端ベルト３ＬＵ，３ＲＵ及び前記縫目拡張済衣類の強制排出移送装置３５における二条の断面円形無端ベルト３５Ｌ，３５Ｒが同時に回転開始されるように構成されている。【００３９】  次に、上記のように構成された本実施の形態に係る衣類の縫目拡張装置Ｍを用いて、オーバーロックミシンを用いた縁かがり縫いによってＪＩＳの表記記号クラス５０５に分類される図１２に示すような収縮状態の縫目Ｓが形成された衣類ＳＷ、例えば、図１１に示すスポーツウェアにおける各縫目Ｓを拡張する動作について説明する。【００４０】  まず、起動スイッチをＯＮにした状態で足踏みペダルを踏み返すことにより、図９に示すように、前記左右一対の生地部強制移送装置３Ｌ，３Ｒにおける上部の無端ベルト３ＬＵ，３ＲＵ及び縫目拡張済衣類の強制排出移送装置３５における実質的な強制排出移送部３５Ａが共に上昇される。このとき、前記左右一対の生地部強制移送装置３Ｌ，３Ｒにおける上部の無端ベルト３ＬＵ，３ＲＵ及び前記縫目拡張済衣類の強制排出移送装置３５における二条の断面円形無端ベルト３５Ｌ，３５Ｒは回転停止したままである。【００４１】  次に、前記足踏みペダルを中立位置に操作することにより、図７に示すように、前記左右一対の生地部強制移送装置３Ｌ，３Ｒにおける上部の無端ベルト３ＬＵ，３ＲＵが下降して該上部の無端ベルト３ＬＵ，３ＲＵの各移送面が下部の無端ベルト３ＬＬ，３ＲＬの各移送面に接近して衣類の左右二枚の生地部を挟み保持して強制移送する状態になる。【００４２】  続いて、前記足踏みペダルを踏み込むことにより、駆動モータ２０が作動して前記左右一対の生地部強制移送装置３Ｌ，３Ｒにおける上部の無端ベルト３ＬＵ，３ＲＵ及び前記縫目拡張済衣類の強制排出移送装置３５における二条の断面円形無端ベルト３５Ｌ，３５Ｒが同時に回転開始される。【００４３】  この状態で、ＪＩＳの表記記号クラス５０５に分類される縫目Ｓが形成されたスポーツウェアなどの衣類ＳＷの生地部で、縫目形成時には上下に重ね合わせられていた上下二枚の生地部ＵＷ，ＬＷを縫目Ｓの左右両側に展開した上、収縮状態の縫目Ｓが縫目移動ガイド溝４Ｓに嵌り、該移動ガイド溝４Ｓに沿って移動ガイドされるように生地部送り込み部４にセットする。【００４４】  すると、前記左右両側に展開された生地部ＵＷ，ＬＷが前記強制送り込み用無端ベルト１９と二個のローラ１２Ｌ，１２Ｒとを介して強制移送されて生地部の先端から前記左右一対の生地部強制移送装置３Ｌ，３Ｒにおける上下一対の無端ベルト３ＬＵ，３Ｌ���、３ＲＵ，３ＲＬの対向移送面間に送り込まれて図６に示すように、挟み保持されたのち、前記左右の生地部ＵＷ，ＬＷが左右一対の生地部強制移送装置３Ｌ，３Ｒにより矢印ＹＬ，ＹＲ方向にそれぞれ強制移送される。【００４５】  この強制移送時に前記一対の生地部強制移送装置３Ｌ，３Ｒの対向間距離が漸次大きくなるため、強制移送の進行に伴って左右二枚の生地部ＵＷ，ＬＷには縫目Ｓの長手方向に対して直交する方向の引張り力が付与され該縫目Ｓが自動的かつ連続的に順次拡張されることになり、前記左右一対の生地部強制移送装置３Ｌ，３Ｒを通過後には、左右二枚の生地部ＵＷ，ＬＷの端縁ＵＷｅ、ＬＷｅが図１３及び図１４に示すような突き合わせ縫い状態となり、着用感の高い平滑な裏面と美観に優れた表面とを有するスポーツウェア等の衣類ＳＷに仕上げられる。【００４６】  上記のようにして、縫目Ｓが拡張された左右二枚の生地部ＵＷ，ＬＷ（スポーツウェア等の衣類ＳＷ）の移送方向先端部が前記左右一対の生地部強制移送装置３Ｌ，３Ｒから前記排出移送案内面２Ｌａ上に送り出されたとき、その先端部を検知器４０が検知し、その検知動作に応じてシリンダ４１が伸長して前記昇降台３６が駆動下降されることによって、図８に示すように、前記縫目拡張済衣類の強制排出移送装置３５における実質的な強制排出移送部３５Ａが前記左右一対の生地部強制移送装置３Ｌ，３Ｒから前記排出移送案内面２Ｌａ上に排出された縫目拡張済衣類ＳＷの上面に接触して該衣類ＳＷを縫目Ｓの長手方向である前記強制排出移送方向Ｚに強制的に排出移送する。【００４７】  そして次に、縫目拡張済衣類ＳＷの移送方向終端部を前記検知器４０が検知したとき、その検知動作に応じて前記シリンダ４１が収縮して前記昇降台３６が駆動上昇されて前記縫目拡張済衣類の強制排出移送装置３５における実質的な強制排出移送部３５Ａが前記排出移送案内面２Ｌａの上方に離間する一方、その後に前記足踏みペダルを踏み返し操作することにより、前記駆動モータ２０の作動が停止されるとともに、図９に示すように、シリンダ２８を介して昇降部材３０が駆動上昇されて、前記上部の無端ベルト３ＬＵ，３ＲＵの各移送面が下部の無端ベルト３ＬＬ，３ＲＬの各移送面から上方に離間されて上部の無端ベルト３ＬＵ，３ＲＵと下部の無端ベルト３ＬＬ，３ＲＬの対向移送面間に空隙部４３が形成された状態となる。【００４８】  この図９の状態において、縫目拡張済衣類ＳＷが図１１に示すスポーツウェアなどの筒状衣類であっても、該筒状衣類ＳＷを前記空隙部４３を通して前記生地部送り込み部の上流側に素早く抜き出し、それ以降は前述と同様な作用を繰り返すことで複数の衣類に対する縫目拡張作業を次々と実行する。【００４９】  上記のように、本実施の形態に係る衣類の縫目拡張装置Ｍは、縁かがり縫い後の生地部を縫目Ｓの長手方向に対して直交する左右両側に展開してセットするといった最少限の手間と時間をかけるのみで、また、人力にて強い引張り力をかけるといった作業労力も要することなく、縫目Ｓをその全長に亘って確実かつ効率的に拡張して、生地部が着用感の高い平滑な裏面と美観に優れた表面とを有する衣類を得ることができ、スポーツウェアＳＷやパンティストッキングなどのように弾力性、伸縮性に富む生地素材を用い、針糸及びルーパ糸としてウーリー糸のような高伸度の糸を使用して作製されることが多い関係から縫目Ｓが強い収縮状態となる衣類であっても、その縫目Ｓを自動的に確実、迅速かつ均一に拡張することができる。【００５０】  特に、一対の生地部移送装置３Ｌ，３Ｒの対向間距離を移送方向の終端部ほど漸次大きくなるように配置して縁かがり縫い後の左右二枚の生地部ＵＷ，ＬＷを強制移送しながら該二枚の生地部ＵＷ，ＬＷを繋ぐ縫目Ｓにその長手方向に対して直交する引張り力を無理なく徐々にかけることができるので、例えば、強制移送時に縫目Ｓを含む生地部分を勾配カムに沿って摺接移動させることで前記引張り力を付与する形式の固定式拡張装置や、強制移送されてくる縫目を含む生地部分を順次掻き込むとともに、その掻き込んだ生地部分を生地部の表裏方向の一方に回転移送する駆動回転体により前記引張り力を付与する形式の回転掻き込み式拡張装置を用いる場合に比べて、生地に余分な摩擦や無理な力等をかけることがないので、生地に擦過傷や局部破れなどを生じることがなく、仕上がりのよい縫目拡張を行うことができる。【００５１】  加えて、縫目Ｓの収縮度合いに応じて、前記上部取付台１５ＬＵ，１５ＲＵ及び下部取付台１５ＬＬ，１５ＲＬを上部ガイドピン２５ＬＵ，２５ＲＵ及び下部ガイドピン２５ＬＬ，２５ＲＬそれぞれの上下軸心周りに回転させ、かつ、任意の回転位置でネジ２６ＬＵ，２６ＲＵ及びネジ２６ＬＬ，２６ＲＬを介して固定することにより、上下一対の無端ベルト３ＬＵ，３ＬＬ及び３ＲＵ，３ＲＬの移送方向終端部の対向間距離を任意に変更することが可能である。そのため、スポーツウェアやパンティストッキングなどのように弾力性、伸縮性に富む生地素材が用いられ、針糸及びルーパ糸としてウーリー糸のような高伸度の糸が使用される関係から種々変化する縫目の収縮度合いがいかなる衣類であっても、その縫目を確実かつ適正に見栄え良く拡張して仕上りの良い衣類を生産することができる。【００５２】  また、本実施の形態のように、前記左右一対の生地部強制移送装置３Ｌ，３Ｒが、それぞれ移送面を上下に対向して配置された上下一対の移送装置としての上下一対の無端ベルト３ＬＵ，３ＬＬ、３ＲＵ，３ＲＬから構成されている場合は、縁かがり縫い後、左右両側に展開された二枚の生地部ＵＷ，ＬＷがそれぞれ上下一対の無端ベルト３ＬＵ，３ＬＬ、３ＲＵ，３ＲＬの上下対向移送面間に挟まれて強制移送されることになるため、左右二枚の生地部ＵＷ，ＬＷを確実かつ均等に所定方向に強制移送することが可能で、縫目Ｓを左右に均一に拡張し、一層仕上りのよい衣類を得ることができる。【００５３】  また、本実施の形態に示すように、前記左右一対の生地部強制移送装置３Ｌ，３Ｒを構成する上下一対の無端ベルト３ＬＵ，３ＬＬ、３ＲＵ，３ＲＬのうち、上部の無端ベルト３ＬＵ，３ＲＵを、駆動モータ６に連動連結させて駆動回転式に構成する一方、下部の無端ベルト３ＬＬ，３ＲＬは、非駆動で上部の無端ベルト３ＬＵ，３ＲＵとの間に生地部を挟んで移送するときに移送面が同一方向へ向けて移動するような従動回転式に構成する場合は、縁かがり縫い後、左右両側に���開された二枚の生地部ＵＷ，ＬＷが対向配置された一対の無端ベルト間に挟まれた状態で、上部の無端ベルト３ＬＵ，３ＲＵの駆動回転に伴い下部の無端ベルト３ＬＬ，３ＲＬを従動回転させながら強制移送されることになるため、左右の生地部ＵＷ，ＬＷには殆ど移送抵抗がかからず、強制移送に伴う所定の縫目拡張機能を確実かつ円滑に発揮させることが可能である。【００５４】  また、本実施の形態に示すように、前記一対の生地部強制移送装置３Ｌ，３Ｒの移送方向下流箇所に該一対の生地部強制移送装置３Ｌ，３Ｒにより縫目が拡張された衣類ＳＷの移送方向先端部が該一対の生地部強制移送装置３Ｌ，３Ｒから送り出されたことを検知する検知器４０の検知動作に応じて衣類から離間した第２状態にあった縫目拡張済衣類の強制排出移送装置３５における実質的な強制排出移送部３５Ａが衣類ＳＷに接触する第１状態に切換えられることにより、縫目拡張済の衣類ＳＷを引き続いて縫目の長手方向に向けて強制的に排出移送することができるので、縫目拡張済衣類ＳＷが前記一対の生地部強制移送装置３Ｌ，３Ｒの移送方向下流箇所に停滞してそれ以降の衣類の移送などに支障を招くことを回避することができる。これにより、多数の衣類に対する縫目拡張作業を非常に順調かつ効率的に実行することができる。【００５５】  また、本実施の形態に示すように、前記縫目拡張済衣類の強制排出移送装置３５は、前記検知器４０が縫目拡張済衣類ＳＷの移送方向終端部を検知した動作に応じて前記第１状態から前記第２状態に自動的に切換えられるため、縫目拡張済衣類ＳＷをできるだけ早く当該拡張装置Ｍから取り外して次の衣類の拡張を早期に開始することで、当該拡張装置Ｍの使用効率を高めることができる。【００５６】  また、本実施の形態に示すように、前記縫目拡張済衣類の強制排出移送装置３５が、前記縫目Ｓの長手方向に対して直交する方向に並設された複数条（二条）の断面円形無端ベルト３５Ｌ，３５Ｒから構成され、これら断面円形無端ベルト３５Ｌ，３５Ｒが前記一対の生地部強制移送装置３Ｌ，３Ｒの駆動モータ２０に連動連結されていることによって、前記強制排出移送装置３５の縫目拡張済の衣類ＳＷに対する接触を線接触とすることができるので、該強制排出移送装置３５と前記一対の生地部強制移送装置３Ｌ，３Ｒとの間で多少の移送速度差が生じたとしても、その速度差を線接触部でのスベリにより吸収することが可能で、衣類に余分な力をかけないですむ。また、駆動モータ２０の兼用化により、装置全体としての駆動系の構成を簡単にすることができる。【００５７】  さらに、本実施の形態に示すように、前記断面円形無端ベルト３５Ｌ，３５Ｒが、縫目拡張済衣類の強制排出移送始端部に位置する２つのプーリ３７ａ，３７ｂ、前記駆動モータ２０から駆動力を受動するプーリ３７ｃ及び断面円形無端ベルト３５Ｌ，３５Ｒの外周部に接触するアイドルプーリ３７ｄ間に亘って巻掛けられており、これらプーリ３７ａ〜３７ｄは、前記検知器４０の検知動作に応じて前記第２状態から前記第１状態へ切換えられる時及び前記第１状態から前記第２状態へ切換えられる時のいずれも前記円形断面無端ベルト３５Ｌ，３５Ｒが外れないように屈曲動作するリンク機構４２に��えられているので、前記円形断面無端ベルト３５Ｌ，３５Ｒが前記プーリ７ａ〜３７ｄから外れるといったトラブルの発生を回避してメンテナンスフリーで使用することができる。【００５８】  また、本実施の形態では、前記左右一対の生地部強制移送装置３Ｌ，３Ｒの移送方向終端部の対向間距離が漸次大きくなるようにするために、一対の生地部強制移送装置３Ｌ，３Ｒをその強制移送経路の中央部付近に配置した軸（ガイドピン）の周りに回転固定可能としたが、これ以外に、例えば前記軸を生地部強制移送装置３Ｌ，３Ｒの強制移送経路の始端部又は始端部よりも更に移送方向の手前に配置してもよい。ただし、本実施の形態のように前記軸を強制移送経路の中央部付近に配置する構成とした場合は、他の構成の場合に比べて、生地部強制移送装置３Ｌ，３Ｒの軸周りの回転に伴う対向間距離の変化率を小さくすることが可能で、縫目の収縮度合に対する拡張機能の適応性を高めることができる。【００５９】  また、上記した実施の形態では、前記左右一対の生地部強制移送装置３Ｌ，３Ｒによる生地部の移送経路が水平又は略水平に形成されたものについて説明したが、生地部の移送経路が鉛直又は略鉛直に形成されたものであっても、また、上下方向に傾斜した状態に形成されたものであってもよい。
【符号の説明】
【００６０】  ３Ｌ，３Ｒ  一対の生地部強制移送装置
３ＬＵ，３ＲＵ  上部の無端ベルト
３ＬＬ，３ＲＬ  下部の無端ベルト
４  生地部送り込み部
４Ｓ  縫目移動ガイド溝
１２Ｌ，１２Ｒ  ローラ（強制送り込み用回転体）
２０  駆動モータ
３５  縫目拡張済衣類の強制排出移送装置
３５Ｌ，３５Ｒ  断面円形無端ベルト
３７ａ〜３７ｄ  断面円形無端ベルトの巻掛け用プーリ
４０  検知器
４２  リンク機構
４３  空隙部
Ｍ  衣類の縫目拡張装置
ＳＷ  衣類（スポーツウェア）
ＵＷ，ＬＷ  左右の生地部
Ｓ  縫目
ＹＬ、ＹＲ  強制移送方向
Ｚ  強制排出移送方向
【図１】
2020180417.tif 000003
【図２】
2020180417.tif 000004
【図３】
2020180417.tif 000005
【図４】
2020180417.tif 000006
【図５】
2020180417.tif 000007
【図６】
2020180417.tif 000008
【図７】
2020180417.tif 000009
【図８】
2020180417.tif 000010
【図９】
2020180417.tif 000011
【図１０】
2020180417.tif 000012
【図１１】
2020180417.tif 000013
【図１２】
2020180417.tif 000014
【図１３】
2020180417.tif 000015
【図１４】
2020180417.tif 000016